Podtech/llm-jp-corpus-v4-ja_patent huggingface dataset:
(57)【要約】      （修正有）【課題】皮膚の洗浄能力を損なわずに保湿、加齢臭等の消臭、白髪の改善を同時に解決し、固形石鹸の品質及び商品価値の向上並びに高齢化社会における生活の質の向上に資する固形石鹸を提供する。【解決手段】栗の渋皮、ツルドクダミ、大豆エキスを石鹸素地中に成分が偏らないように混合した上で、所要の形状に固めてなる。【選択図】図１
0003174405.tif 000002
【実用新案登録請求の範囲】
【請求項１】
石鹸素地中に栗の渋皮の粉末、ペースト、抽出物及びそれらの発酵物からなる群より選ばれた１種以上の成分（Ａ群）、ツルドクダミの葉、根又は実の粉末、ペースト及び抽出物からなる群より選ばれた１種以上の成分（Ｂ群）を含有し、所要の形状に固めてなることを特徴とする固形石鹸。
【請求項２】
石鹸素地中に大豆の粉末、ペースト及び抽出物からなる群より選ばれた１種以上の成分（Ｃ１群）を含有することを特徴とする請求項１に記載の固形石鹸。
【請求項３】
石鹸素地中にイソフラボン類（Ｃ２群）を含有することを特徴とする請求項１に記載の固形石鹸。
【請求項４】
石鹸素地中に栗の渋皮の発酵エキス、ツルドクダミの根のエキス、及びダイズエキスを含有し、所要の形状に固めてなることを特徴とする固形石鹸。
【考案の詳細な説明】
【技術分野】
【０００１】  本考案は、浴用石鹸や洗顔石鹸として使用される所要の形状に固めてなる固形石鹸に関する。
【背景技術】
【０００２】  従来通常的に広く使用されている固形石鹸は皮膚の汚れ落ちが優れているが、加齢臭や白髪等の中高年者ならではの問題には対応できておらず、汚れ落ちについては界面活性によって皮膚の保湿機能及びバリアー機能を担っている角質層まで影響を与え、肌の突っ張り感や乾燥肌を引き起こす原因となっており、固形石鹸の使用後は一般的に皮膚の保湿機能をクリームや化粧水等で補っている。【０００３】  また、年齢とともに角質層内の保湿機能は減少する傾向があり、中高年者の石鹸の多用は肌の突っ張り感や乾燥肌のみならず、皮脂減少性湿疹、足蹠角皮症等を招く恐れがある。
【考案の開示】
【考案が解決しようとする課題】
【０００４】  本考案は上記事情に鑑みて成されたものであり、皮膚の洗浄能力を損なわずに保湿、加齢臭等の消臭、白髪の改善を同時に解決することを目的とする。
【課題を解決するための手段】
【０００５】  本考案の固形石鹸は、上記課題を解決するため、石鹸素地中に栗の渋皮の粉末、ペースト、抽出物及びそれらの発酵物からなる群より選ばれた１種以上の成分、ツルドクダミの葉、根又は実の粉末、ペースト及び抽出物からなる群より選ばれた１種以上の成分を含有し、所要の形状に固めてなることを特徴とするものである。【０００６】  また、本考案の固形石鹸は、石鹸素地中に大豆の粉末、ペースト及び抽出物からなる群より選ばれた１種以上の成分又は石鹸素地中にイソフラボン類を含有することを特徴とするものである。【０００７】  さらに、本考案の固形石鹸は、石鹸素地中に栗の渋皮の発酵エキス、ツルドクダミの根のエキス、及びダイズエキスを含有し、所要の形状に固めてなることを特徴とするものである。
【考案の効果】
【０００８】  本考案によれば、石鹸の洗浄力を低下させることなく角質層保護と水分保持効果がアトピー性皮膚炎、肌荒れ等の皮膚トラブルから皮膚を守り、抗菌消臭効果が体臭、加齢臭を取り除くことが出来、繰り返し使用することで皺の予防効果と皮膚漂白効果、白髪を黒くする効果が期待できるので、きわめて有効である。
【考案を実施するための最良の形態】
【０００９】  本考案に係る固形石鹸の最良の実施形態は、石鹸素地中に栗の渋皮の発酵エキス、ツルドクダミの根のエキス、及びダイズエキスを混入し、所要の形状に固めてなる石鹸として供給されるのが最も好ましい。
【実施例】
【００１０】  石鹸素地中に栗の渋皮の発酵エキス、ツルドクダミの根のエキス、及びダイズエキスを成分が偏らないように混入した上で所要の形状に固めて製作し、多数の人々に試用してもらったが、上記の優れた効用を示す報告はあったものの、副作用等の発生報告は１例もなかった。【００１１】  なお、本考案の固形石鹸は、実施例及び図面に限定されるものではなく、実用新案登録請求の範囲に記載された範囲内で自由に変更可能である。
【産業上の利用可能性】
【００１２】  本考案は、洗顔石鹸や浴用石鹸として使用される固形石鹸の品質及び商品価値の向上並びに高齢化社会における生活の質の向上に資するものである。
【図面の簡単な説明】
【００１３】
【図１】本考案の概略斜視図。
【符号の説明】
【００１４】  １  固形石鹸
２  石鹸素地
３  栗の渋皮抽出物等（Ａ群）
４  ツルドクダミ抽出物等（Ｂ群）
５  大豆抽出物等（Ｃ１群又はＣ２群）
【図１】
0003174405.tif 000003
(57)【要約】      （修正有）【課題】屋内で見えないチリや埃、あるいはタバコの煙や臭い等を浄化するという本来の性能を保持し、かつ小型軽量でフイルター等の交換などの手間がいらないシンプルなエアクリーン器を提供する。【解決手段】汚染除去ボックスの上部の強力ファンにより取込んだチリや埃は、ボックス内に張っておいた水道水にて除去し、マイナスイオンの中和効果により臭い・汚れが吸着、浄化されクリーンなエアーを作る。【選択図】図１
0003174402.tif 000002
【実用新案登録請求の範囲】
【請求項１】
屋内等で目に見えないチリや埃、あるいはタバコの煙や臭い等を強力ファンにて汚染除去ボックスに取り込み、あらかじめ張っておいた水でチリや埃を除去し、備え付けてあるマイナスイオンにより煙や臭いを中和分解するエアクリーン器。
【考案の詳細な説明】
【技術分野】
【０００１】本考案は、屋内等で見えないチリや埃、あるいはタバコの煙や臭い等を強力フアンを使って汚染除去ボックスに取り込み、予め張ってある水にてチリや埃を除去し、備え付けマイナスイオンにて臭いを分解中和させるエアクリーン器。
【背景技術】
【０００２】
【考案の開示】
【考案が解決しようとする課題】
【０００３】小型軽量でフイルター等の交換など手間もいらず、手軽で簡単に持ち運びが出来てしかもエアクリーンという本来の性能を保有する器具。
【課題を解決するための手段】
【０００４】空気と一緒に取込んだチリや埃は水道水にて除去し、タバコの煙や臭い等はマイナスイオンにより分解中和することで、クリーンな空気を作る。
【考案の効果】
【０００５】エアクリーン本来の性能を持ち、手軽で簡単に使用可能。
【図面の簡単な説明】
【０００６】
【図１】屋内に於けるチリや埃、あるいは煙や臭いを汚染除去ボックスに取込むファン▲２▼及び臭いや埃などに対し中和機能をもつマイナスイオン▲３▼
【図２】クリーンな空気を放出する放出口▲５▼
【図３】取込んだチリや埃を吸着・浄化する役目の水道水▲４▼及び汚染除去ボックス本体▲１▼
【符号の説明】
【０００７】▲１▼  汚染除去ボックス本体
▲２▼  取込みファン
▲３▼  マイナスイオン
▲４▼  水道水
▲５▼  放出口
【図１】
0003174402.tif 000003
【図２】
0003174402.tif 000004
【図３】
0003174402.tif 000005
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
箱型の汚染除去ボックスに予め適度の量の水を入れておき、上部に汚れた外気を取り込む強力ファンを取付け、また内部にマイナスイオンライトを取付けて構成されたエアクリーン器。
(57)【要約】      （修正有）【課題】道路側構排水構に設置することにより排砂水の排出と通風を行い、蓋板の逆止によってハエ、蚊、ゴキブリの入出を防止する排水蓋パイプＬ形通風可動逆止蓋板を提供する。【解決手段】蓋本体にパイプＬ形配管４を設け配管出口上部にネジにて固定したチョウツガイ９で枢着した蓋板５が開閉自在で逆止となるように傾斜角度１０を設けて固定する。蓋板は通常自重で閉じ、排砂水が流入すると水力で押され、蓋板が開いて砂水が流出するが、蚊、ハエ、ゴキブリは通れない。通風穴８を設けて自然換気を行う。【選択図】図４
0003174403.tif 000002
【実用新案登録請求の範囲】
【請求項１】
道路側構排水構に長方形の蓋にパイプＬ形配管を固定し、配管出口に枢着した開閉自在の取付蓋板は流入した排砂水の水力で開き排水構下部に落下し排砂水が止まると蓋板は閉じ、当該通風可動逆止蓋板は排砂水の排出可能を特微とする
道路側構排水構排水蓋パイプＬ形通風可動逆止蓋板。
【請求項２】
パイプＬ形通風可動逆止蓋板に通風穴を設けているが、蓋板は閉じており通風は出来るがアミネットにより蚊、ハエ、ゴキブリの入出防止が出来ること特微とする請求項１に記載の道路側構排水構排水蓋パイプＬ形通風可動逆止蓋板。
【考案の詳細な説明】
【技術分野】
【０００１】  本考案は、道路側構排水構の排砂水をパイプＬ形配管に通風逆止の出来る蓋板を傾斜角度を設けることで自重で閉まり、排砂水の流入で水力により蓋板が開いて流出する排水蓋パイプＬ形通風可動逆止蓋板に関するものである。
【背景技術】
【０００２】  道路側構排水構はアスファルトの砂が溜る構造で水も同時に溜るが排水口は底より少し上にありあふれた水が本管の方へ流れるようになっている。
水溜りには、蚊、ハエの卵がふ化し成虫となる発生場所であり悩まされている。
特許庁電子図書館ファイルに該当物件はありませんでした。
【考案の概要】
【考案が解決しようとする課題】
【０００３】  排水構の水溜りをなくすことは出来ないが、蚊、ハエの入出を防ぐ手段としてアミネットをつけることが可能なるも、ネットの目にアスファルトの砂が詰り水が流れず水溜りとなって排水機能がクローズされた。
この様な状態より砂水の排水と蚊ハエの入出防止を解決しようとするものである。
【課題を解決する為の手段】
【０００４】  本考案は排水構蓋にパイプＬ形配管を設けその配管出口にネジとチョウツガイで枢着した蓋板が開閉自在で逆止となるように傾斜角度をつけて装着する、蓋板の自重で閉るが排砂水が流入すると水力で蓋板が押されて開き排砂水が流出することにより門題点を解決している。
蓋板は通風のアミネット付の穴を開けており自然換気が出来る、蚊、ハエ、ゴキブリの入出を防止解決している。
【考案の効果】
【０００５】  上述の様に、本考案の道路側構排水構排水蓋パイプＬ形通風可動逆止蓋板を設置することは、人手を介して操作することもなく排砂水が出来る、自然換気も出来る、通常は蓋板が自重で閉っており蚊、ハエ、ゴキブリの入出防止が出来る。
【図面の簡単な説明】
【０００６】
【図１】本考案の道路側構排水構排水蓋パイプＬ形通風可動逆止蓋板の実施例を示す正面図である。
【図２】本考案の道路側構排水構排水蓋パイプＬ形通風可動逆止蓋板の実施例を示す上面図である。
【図３】パイプＬ形通風可動逆止蓋板の出口正面図である。
【図４】パイプＬ形通風可動逆止蓋板の一部切欠断面図である。
【考案を実施するための形態】
【０００７】  蓋本体は、左右対象の傾斜板を経てセンターにＬ形パイプの排水口がある、傾斜板部にクシ格子落葉止めが設けてあり落葉がここでたまる、排水口側は落葉止めのスキ間があり砂水が流れるようになっている、排水口入口に流し用菊割ゴムを設けて２っ目の落葉止めを行い砂水が排水出来るようにしている、流し用菊割ゴムは着脱可能である、Ｌ形パイプの配管出口の蓋板はチョウツガイを中心に開閉し傾斜角度を付けて逆止としているので蓋板は自重で閉鎖する、砂水が流入すると蓋板は水力で押されて解開することにより開閉が自在となる。
【実施例】
【０００８】  以下、添付図面に従って実施例を説明する。１はアルミ材と耐久性プラスチック等適宜素材にて一体形成された蓋本体、２、４はパイプＬ形配管のプラスチック成型品、５は円形のプラスチック成型品蓋板でＬ形パイプの内径に入る様にしている、８は５蓋板に半月穴を明けアミネット合成樹脂付通風口、７はプラスチック成型品のクシ格子落葉止めでネジ止めで着脱可能、水流によって左右どちらでも可とした、９は真鍮のチョウツガイでＬ形パイプ配管出口上部に固定、１０は５蓋板の取付傾斜角度で逆止のポイントである、１１は蓋本体の排水口入口の流し用菊割ゴムで砂水が排水しやすい構造である。【０００９】  本考案の一実施例は上述の如き構成からなるものであるが、蓋本体は道路側構の水流が左右どちらでも装着出来るものである。
【符号の説明】
【００１０】１    蓋本体
２    排砂水口ガイド
３    傾斜板
４    Ｌ形パイプ配管
５    通風可動逆止板
６    フック（Ｌ形）
７    クシ格子落葉止
８    アミネット付通風穴
９    チョウツガイ
１０  傾斜角度
１１  流し用菊割ゴム
【図１】
0003174403.tif 000003
【図２】
0003174403.tif 000004
【図３】
0003174403.tif 000005
【図４】
0003174403.tif 000006
(57)【要約】      （修正有）【課題】スマートフォン用の持ち運びができる組立、展開が可能なスタンドを提供する。【解決手段】前面部Ａ、後面部Ｂ、底面部Ｃからなり、前面部Ａ、後面部Ｂの間に跨って、スマートフォンを挿入するための開口部４、前面部Ａと後面部Ｂの間には、前面部Ａと後面部Ｂの曲げ易くするための上部溝６を内側に、前面部Ａと底面部Ｃの間に、前面部Ａと底面部Ｃの間を曲げ易くするための下部溝７を外側に備え、後面部Ｂには、前面部Ａとは異なる端部に引掛け雄部、底面部Ｃには、前面部Ａとは異なる側に引掛け雌部を備え、引掛け雄部を引掛け雌部に挿入して嵌め込むことにより三角形状に組み立てる。【選択図】図１
0003174433.tif 000002
【実用新案登録請求の範囲】
【請求項１】
カスケードに接続された後面部Ｂ、前面部Ａ、底面部Ｃからなり、前面部Ａ、後面部Ｂの間に跨って、スマートフォンを挿入するための開口部４、前面部Ａと後面部Ｂの間には、前面部Ａと後面部Ｂ間を曲げ易くするための上部溝６を内側に、前面部Ａと底面部Ｃの間に、前面部Ａと底面部Ｃの間を曲げ易くするための下部溝７を外側に備え、後面部Ｂには、前面部Ａとは異なる端部に引掛け雄部２、底面部Ｃには、前面部Ａとは異なる側に引掛け雌部３を備え、引掛け雄部２を引掛け雌部３に挿入して嵌め込むことにより三角形状に組み立てることを特徴とするスマートフォンスタンド。
【請求項２】
前記の下部溝７には、より曲げ易いように中央部付近に一つ又は複数のスリット８を設けたことを特徴とする請求項１記載のスマートフォンスタンド。
【考案の詳細な説明】
【技術分野】
【０００１】スマートフォンを立てるための組立式のスタンドに関する。
【背景技術】
【０００２】従来の商品は、金属製、アルミ、皮製等で組立でなく完成品で販売されていた。
【先行技術文献】
【特許文献】
【０００３】
【特許文献１】実用新案登録第３０８２６６３号公報
【考案の概要】
【考案が解決しようとする課題】
【０００４】    １）組立式でないために持ち運びが不便であった。
２）組立式でないために封筒に入れて発送が出来なかった。
【課題を解決するための手段】
【０００５】前面部Ａ、後面部Ｂ、底面部Ｃからなり、前面部Ａ、後面部Ｂの間に跨って、スマートフォンを挿入するための開口部４、前面部Ａと後面部Ｂの間には、前面部Ａと後面部Ｂの曲げ易くするための上部溝６を内側に、前面部Ａと底面部Ｃの間に、前面部Ａと底面部Ｃの間を曲げ易くするための下部溝７を外側に備え、後面部Ｂには、前面部Ａとは異なる端部に引掛け雄部２、底面部Ｃには、前面部Ａとは異なる側に引掛け雌部３を備え、引掛け雄部２を引掛け雌部３に挿入して嵌め込むことでのより三角形状に組み立てる特徴とするスマートフォンスタンド。【０００６】下部溝７には、より曲げ易いように中央部付近に一つ又は複数のスリット８を設けたことを特徴とする請求項１記載のスマートフォンスタンド
【考案の効果】
【０００７】組立式で、折り畳む前は平板状であるのでメール便で発送が可能である。
【図面の簡単な説明】
【０００８】
【図１】本発明のスマートフォンスタンドの構成（スマートフォンを挿入した斜視図）
【図２】本発明のスマートフォンスタンドの展開図（ａ）は底面図  （ｂ）は側面図
【考案を実施するための形態】
【０００９】図１は、本考案のスマートフォンスタンドの構成で、スマートフォンを挿入した図である。
本発明のスマートフォンスタンドは、前面部Ａ、後面部Ｂ、底面部Ｃからなる。
前面部Ａ、後面部Ｂの間に跨って、スマートフォンを挿入するための開口部４、前面部Ａと後面部Ｂの間を曲げ易くするための上部溝６を内側に、前面部Ａと底面部Ｃの間に、前面部Ａと底面部Ｃの間を曲げ易くするための下部溝７を外側に備える。
上部溝６は、前面部Ａと後面部Ｂの間を曲げ易くするために、折り畳んだときに、上部で開口部４の両側で裏面に設けた溝である。
下部溝７には、前面部Ａと底面部Ｃの間を曲げ易くするための、それら表面に設けた溝である。より曲げ易いように中央部付近にスリット８を設ける。このスリット８は、図では一つであるが、中央部付近に一つ又は複数個備えてもよい。後面部Ｂの先端部には引掛け突起２、底面部Ｃの端部には、引掛け穴３を備える。
【００１０】図２は、本考案のスマートフォンスタンドの展開図で（ａ）は底面図、（ｂ）は側面図を示す。組立てると図１の形状になる。
本考案のスマートフォンスタンド１は、組み立てる前は、図２の展開図に示すように平板状で底面部Ｃ、前面部Ａ、後面部Ｂのようになる。前面部Ａと後面部Ｂの間を曲げ易くするための上部溝６を内側に、前面部Ａと底面部Ｃの間を曲げ易くするための下部溝７を外側に備える。下部溝７には、より曲げ易いように中央部付近にスリット８を設ける。また、前面Ａの強度を確保するためにリブ５を両側に備える。
後面部Ｂには、前面部Ａとは異なる端部に引掛け雄部２、底面部Ｃには、前面部Ａとは異なる側に引掛け雌部３を備える。
図２の平面状に展開した前面部Ａ、後面部Ｂ、底面部Ｃで、引掛け雄部２を引掛け雌部３に挿入して嵌め込むで、図１に示すように側面視が三角形状になるように組み立てる。
【００１１】
【産業上の利用可能性】
【００１２】  スマートフォン用の持ち運びができる組立、展開が可能なスタンドを提供する。
【符号の説明】
【００１３】１  スマートフォトスタンド
Ａ  前面部
Ｂ  後面部
Ｃ  底面部
２  引掛け雄部
３  引掛け雌部
４  開口部
５  リブ
６  上部溝
７  下部溝
８  スリット
１０  スマートフォン
【図１】
0003174433.tif 000003
【図２】
0003174433.tif 000004
(57)【要約】      （修正有）【課題】耐熱性、耐寒性、可撓性に富んだ素材を用いた、折り畳んで小さく収納する事を特徴とした折り畳み式携帯ボトルを提供する。【解決手段】ボトル胴部の側面に畳み合わせ部３を設け、上部の注ぎ口裾一帯を折り畳み部２とし、畳み合わせ部と折り畳み部との境に折り畳み曲げ部７を設け、ボトル底面にマチ部４を設け、ボトル本体１適所に紐等の留め具５を設けたことを特徴とする。【選択図】図１
0003174437.tif 000002
【実用新案登録請求の範囲】
【請求項１】
ボトル胴部の側面に畳み合わせ部を設け、上部の注ぎ口裾一帯を折り畳み部とし、畳み合わせ部と折り畳み部との境に折り畳み曲げ部を設け、ボトル底面にマチ部を設け、ボトル本体適所に紐等の留め具を設けたことを特徴とする折り畳み式携帯ボトル。
【考案の詳細な説明】
【技術分野】
【０００１】  本考案は、折り畳んで小さく収納可能な携帯ボトルに関するものである。
【背景技術】
【０００２】  従来、折り畳み可能なペットボトルがあった。（特許文献１参照）。
【特許文献１】特開平２００６−２４８６１４号公報
【考案の概要】
【考案が解決しようとする課題】
【０００３】  そのために、次のような問題点があった。
（イ）ペットボトルなどの容器の中心部に折り目をつけることにより、折って小さく畳むことができるが、どちらかというと携帯を目的とするより、回収時に容積を減らすことができるようリサイクルに適した折り畳み可能なボトルである。
（ロ）ペットボトルの材質を考えると、子供や女性や握力の弱い人は、折り畳むことが困難に思われる。
（ハ）ペットボトルに、付着した雑菌を熱湯で消毒しようとしても、ペットボトルが熱で変形するため熱湯消毒は不可能である。
本発明は、これらの問題点を解決するためになされたものである。
【課題を解決するための手段】
【０００４】  ボトル胴部の側面に畳み合わせ部を設け、上部の注ぎ口裾一帯を折り畳み部とし、畳み合わせ部と折り畳み部との境に折り畳み曲げ部を設け、ボトル底面にマチ部を設け、ボトル本体適所に紐等の留め具を設ける。以上を特徴とする折り畳み式携帯ボトルである。
【考案の効果】
【０００５】  空になったボトルは、折り畳んで小さく収納できるので、バックの中に入れても場所を取らず、持ち運びに便利である。
シリコン樹脂のような耐熱性に優れ、人体に無害の素材を用いることにより、煮沸消毒にて雑菌の繁殖を防ぎ、衛生面でも健康面でも安心である。
シリコン樹脂のような耐寒性に優れた素材を用いることにより、冷凍庫での製氷も可能であるため、夏季には水やお茶を入れて凍らせたボトルを持参すれば、昼時には冷水、冷茶を飲むことができる。
【図面の簡単な説明】
【０００６】
【図１】本考案の折り畳み過程斜視図
【図２】本考案の折り畳み完成斜視図
【図３】本考案の外観斜視図
【図４】本考案の［図３］以外の底マチ部を示した斜視図
【図５】本考案の［図３］以外の底マチ部を示した斜視図
【考案を実施するための形態】
【０００７】  以下、本考案の実施の形態について説明する。
（イ）ボトル本体（１）の上部に折り畳み部（２）を設け、両側面に畳み合わせ部（３）を設ける。
（ロ）ボトル本体（１）の底にマチ部（４）を設ける。
（ハ）ボトル本体（１）に留め具（５）を設ける。
本案は以上のような構成で、これを使用するときは、飲料水をボトル本体（１）の中に入れ、空になったら中の空気を抜き、畳んで収納する。
ボトル本体（１）の畳んで収納する方法は、畳み合わせ部（３）を合わせて中の空気を抜き、キャップ（６）をつけたまま上部の折り畳み部（２）の中に押し込むようにし、底のマチ部（４）を合わせ、折り畳み曲げ部（７）で折り、そのままキャップ（６）の上に持っていき、紐やゴムなどの留め具（５）で留める。
【符号の説明】
【０００８】    １  ボトル本体
２  折り畳み部
３  畳み合わせ部
４  底マチ部
５  留め具
６  キャップ
７  折り畳み曲げ部
【図１】
0003174437.tif 000003
【図２】
0003174437.tif 000004
【図３】
0003174437.tif 000005
【図４】
0003174437.tif 000006
【図５】
0003174437.tif 000007
(57)【要約】【課題】  ハンドルカバーの端部を底にして立てた状態に出来るニッパー型爪切りを提供する。【解決手段】  ハンドルカバーが取り付けられた把持部を含むニッパー型爪切りであって、ハンドルカバーの端部は平面形状を有し、端部の平面形状の面積が広がって端部を底にしてニッパー型爪切りを立てることが出来るように端部に突起が設けられる。【選択図】図１
0003174429.tif 000002
【実用新案登録請求の範囲】
【請求項１】
ハンドルカバーが取り付けられた把持部を含むニッパー型爪切りであって、前記ハンドルカバーの端部は平面形状を有し、前記端部の平面形状の面積が広がって前記端部を底にして前記ニッパー型爪切りを立てることが出来るように前記端部に突起が設けられることを特徴とするニッパー型爪切り。
【考案の詳細な説明】
【技術分野】
【０００１】  本考案は、ニッパー型爪切りの形状に関する。
【考案の概要】
【考案が解決しようとする課題】
【０００２】  本考案は、ハンドルカバーの端部を底にして立てた状態に出来るニッパー型爪切りを提供するものである。
【課題を解決するための手段】
【０００３】  この目的を達成するために本考案は、ハンドルカバーが取付けられた把持部を含むニッパー型爪切りであって、ハンドルカバーの端部は平面形状を有し、端部の平面形状の面積が広がって端部を底にしてニッパー型爪切りを立てることが出来るように端部に突起が設けられる。
【考案の効果】
【０００４】  以上の通り、本考案に係るニッパー型爪切りによれば、ハンドルカバーの端部を底にして立てた状態に出来る。
【図面の簡単な説明】
【０００５】
【図１】本考案におけるニッパー型爪切りの自立した概略斜視図である。
【図２】本考案におけるニッパー型爪切りの倒した状態の概略斜視図である。
【考案を実施するための形態】
【０００６】  以下、本考案の実施の形態について図面を参照して説明する。図１は本考案に係るニッパー型爪切りの一実施の形態を示す図で、爪切り１０の概略斜視図である。
【０００７】  爪切り１０は、軸支１１で相互に回転可能に支持されている一対の爪きり本体１４ａ、１４ｂと、爪きり本体１４ａ、１４ｂに付勢力を与えるバネ１６ａ、１６ｂとを備えている。
【０００８】  各爪きり本体１４ａ、１４ｂの一端側には爪を切断する機能部１２ａ、１２ｂが、他端側には把手部１３ａ、１３ｂがそれぞれ形成されている。
【０００９】  把手部１３ａは、金属からなるハンドル部１３ａａと樹脂からなりハンドル部１３ａａの一部を覆うハンドルカバー１５ａとからなっている。同様に把手部１３ｂも、金属からなるハンドル部１３ｂｂと樹脂からなりハンドル部１３ｂｂの一部を覆うハンドルカバー１５ｂとからなっている。
【００１０】  また、ハンドルカバー１５ａ、１５ｂのハンドル部１３ａａ、１３ｂｂと接触しない側の端部は、当該端部を底にして爪切り１０を立てることが出来るように、互いに平行で、且つ機能部１２ａ、１２ｂやハンドル部１３ａａ、１３ｂｂが並べられる方向と略垂直な平面形状を有する。つまり、ニッパー型爪切りにおけるハンドルカバーの端部が、平面形状を有し、当該端部の当該平面形状の面積が広がって当該端部を底にしてニッパー型の爪切りを立てることが出来るように、当該端部に突起が設けられる。
【符号の説明】
【００１１】１０  爪切り１１  軸支１２ａ、１２ｂ  機能部１３ａ、１３ｂ  把手部１３ａａ、１３ｂｂ  金属の第一ハンドル部１４ａ、１４ｂ  爪きり本体１５ａ、１５ｂ  ハンドルカバー１６ａ、１６ｂ  バネ
【図１】
0003174429.tif 000003
【図２】
0003174429.tif 000004
(57)【要約】      （修正有）【課題】従来しまわれたままの装飾品をならべ、壁面を利用して常に見えるところに美的に飾りながら、取り外しも楽に収納する収納布体を提供する。【解決手段】装飾品を積層構造からなるしっかりとした布状体の壁掛けに装飾品を展示するもので、装飾品を布状体に紐や鎖、または、取り付けた環状金具を利用し吊り下げることで、装飾品を傷つけることなく収納したり、持ち運ぶこことができるものである。【選択図】図１
0003174428.tif 000002
【実用新案登録請求の範囲】
【請求項１】
特性の異なる複数の布体を積層した一面の布状体上に取り付けた紐や鎖、リング状の鎖および布状体に取り付けた環状金物で装飾品を吊り下げるため、紐や鎖、リング状の鎖および環状金物を配置した装飾品の壁掛け収納布体であって、装飾品の種類によっては装飾品収納袋を併用し、袋に収納した状態で飾り付けをすることができる装飾品の壁掛け収納布体
【請求項２】
請求項１の布体の積層は、装飾品を傷つけないやわらかい布、持ち運び時に及ぶ振動・衝撃を緩和する厚手の布状体及び布状体全体の皺や歪みを起こさせないよう硬めの布状体からなる少なくとも３層からなる積層の布状体
【考案の詳細な説明】
【技術分野】
【０００１】  本考案は、装飾品を見せるために収納し、壁面にて飾るものに関する。
【背景技術】
【０００２】  装飾品の収納については、今までにも宝石箱やスタンド型の飾り台があるが、タンスの中にしまわれたままとなったり、中身を見ることができず、ネックレスの鎖がからまったり、また、埃をかぶってしまうなど美的に見せたり飾り愛でることができなかった。
【考案の概要】
【考案が解決しようとする課題】
【０００３】  装飾品を常に見えるところに、持っている人の好みや美的に飾りながら、取り外しや収納を楽にしようとするものである。
【課題を解決するための手段】
【０００４】  装飾品の収納や取り外しを容易にするため、ネックレスなど長くしなやかな構造をもつ装飾品は、収納布体上で横に張った紐や鎖に吊り下げたり、留め具が付属するブローチなどの装飾品には環状リンクからなる鎖環にあるいは収納布体の要所に取り付けた環状金物にクリップをとめておいたり、さらに、ブレスレットなど吊り下げるための金物がない装飾品は直接透明な収納袋に納めて吊り下げる方法をとる。【０００５】  本考案の収納布体は吊り下げる方法を用いるため、ネックレスなどの鎖状装飾品を横に張った紐や鎖に個々、別々に相互に絡まないように吊り下げたり、留め具が付属するブローチなどの装飾品には環状リンクからなる鎖環にあるいは収納布体の要所に取り付けた環状金物にクリップをとめておいたり、さらに吊り下げができないブレスレットなどの装飾品については透明な収納袋に収納して吊り下げて飾るため相互に絡まることがなく、また、収納布体は表面がやわらかい布状の積層体で作られているため装飾品に傷を付けずに飾ったり、収納することができ、試着したり、装飾品の輝き、発色、色彩、形状を見たり、触れて、高価な装飾品も気楽に楽しめる。
【考案の効果】
【０００６】  本考案は、収納布体で壁面を利用して装飾品を持っている人の好み通りに飾りながら、付け外しも可能な収納をすることができ、また、必要に応じて装飾品を収納した状態で丸めて巻物状として持ち運ぶことができる。
【図面の簡単な説明】
【０００７】
【図１】本考案の実施例の収納布体を示す。
【図２】本考案の実施例の収納布体の部分断面図を示す。
【図３】本考案の実施例の紐や鎖の固定を示す一例の断面図を示す。
【図４】本考案の実施例の収納袋
【図５】本考案の別の実施例の収納布体を示す。
【図６】本考案の別の実施例の紐や鎖の別の固定法を示す。
【考案を実施するための形態】
【０００８】  本考案の形態について図１及び図２を用いて説明する。図２の特性を異にする布からなる収納布体の積層体２は、少なくとも次の３層構造をなす。前面から装飾品を傷つけないためにやわらかい布２０、丸めて持ち運ぶときのための緩衝・耐衝撃効果を得るために綿状の介在物を含むキルティング状の厚手の布状体２１及び全体的に皺や歪みを生じないよう硬めの布状体２２からなる積層体をなしている。
【０００９】  装飾品の飾り付けについて図３に説明する。本考案の収納布体の積層体２の最前面に、装飾品を吊り下げたとき、装飾品が重ならず、相互に触れ合わない上下および左右の間隔にて紐や鎖３を強力糸４で固定する。強力糸４による固定は積層体２に孔かがりをした貫通孔５とボタン状の固定具を介して紐や鎖３を縛り付け固定する。
【００１０】  図４の収納袋７は、取り付け金具を有しないブレスレットなどを収容して、上記の紐や鎖３に強力糸４により結び合わせるなどで取り付けて飾ることができる透明な収納袋７を用いる。
【実施例１】
【００１１】  ネックレスなど鎖ものの装飾品や収納袋に収納する装飾品は、上記に示した通り積層体２に固定した紐や鎖３に直接引っかけて飾り付けたり、吊り下げて保持する。【００１２】  留め具が付属するブローチなどの装飾品には紐や鎖３に代え、環状リンクからなる鎖にあるいは収納布体の要所に取り付けた環状金物に装飾品付属の止めピンやクリップを直接引っかけ吊り下げ保持する。
【実施例２】
【００１３】  強力糸にて紐や鎖３を固定する構造を図５、図６に示す。収納布体の積層体２にあらかじめハト目３０を配置しておき、紐や鎖３、環状リンクからなる鎖または環状金物を固定する。ハト目３０には割りピン３１と緩衝体３２を介して割りピン３１を取り付けておき、割りピン３１の円環部分で前記紐や鎖３、環状リンクからなる鎖や環状金物を固定しておき、実施例１に示すように装飾品を固定する。
【産業上の利用可能性】
【００１４】  本考案の装飾品の飾り方は、手持ちの装飾品を壁飾りとして利用し、利用者の好みに合わせて飾り楽しむことのほか、装飾品全体を収納布体の積層体２ごと丸めて輸送に供したり、移動販売の飾り付けにも使用することができる。【００１５】  本考案の収納布体の積層体２は、使用者の好みで上記の厚手の布状体２１または硬めの布状体２２を追加してよいし、さらに固めの布状体２２は可撓性がある樹脂製シートでもよい。【００１６】  また、飾る装飾品への埃除けに透明の樹脂性シートを少なくとも３層の積層体２の前面に追加する。さらに、少なくとも３層の積層体に開けられる孔から背後の壁面の色が透けて見えるのを防ぐための最前面の布と同色の布体を背後に加えることはやぶさかではない。
【符号の説明】
【００１７】  １  装飾品の壁掛け収納布体
２  積層体
３  紐や鎖
３ａ  環状リングからなる鎖
４  強力糸
５  貫通孔
６  ボタン状の固定具
７  収納袋
２０  やわらかい布
２１  厚手の布状体
２２  硬めの布状体
３０  ハト目
３１  割りピン
３２  緩衝体
【図１】
0003174428.tif 000003
【図２】
0003174428.tif 000004
【図３】
0003174428.tif 000005
【図４】
0003174428.tif 000006
【図５】
0003174428.tif 000007
【図６】
0003174428.tif 000008
(57)【要約】      （修正有）【課題】別に道具を用意しなくとも簡単に小さくなった、固形石鹸を大きい固形石鹸に作り直すことが出来る固形石鹸入れ容器を提供する。【解決手段】固形石鹸入れ容器の受け皿側容器の裏底に、ギザギザの突起部分を設けたことを特徴とする。使用して小さくなった複数の固形石鹸を貼り合わせるため、張り合わす面をこのギザギザの突起部分で突きほぐし、突きほぐされて互いに軟弱になった面同士を圧着さすことにより、簡単に一個の大きい固形石鹸に作り直すことが出来る。【選択図】図２
0003174427.tif 000002
【実用新案登録請求の範囲】
【請求項１】
固形石鹸入れの受け皿容器の裏底に、ギザギザの突起部分を設けた固形石鹸入れ容器。
【考案の詳細な説明】
【考案の詳細な説明】
【考案が解決しようとする課題】
【０００１】従来、固形の化粧石鹸などは消耗するにつれ小さくなって、使いづらくなるという問題点を有していた。
【課題を解決するための手段】
【０００２】上記目的を達成するため、固形石鹸入れの受け皿容器の裏底にギザギザの突起部分を設けて、使用して小さくなった複数の固形石鹸を貼り合わせるため、張り合わす面をこのギザギザの突起部分で突きほぐし、突きほぐされて互いに軟弱になった面同士を圧着さすことにより、簡単に一個の大きい固形石鹸に作り直すことが出来る。
【考案の効果】
別に道具を用意しなくても、固形石鹸を入れてる容器で、小さくなって使いづらい複数の固形石鹸を、大きい固形石鹸に簡単に作り直すことが出来る。
【図面の簡単な説明】
【図１】本校案の固形石鹸入れ容器で、容器の蓋と受け皿側容器の裏底にギザギザの突起を設けた斜視図
【図２】本考案の固形石鹸入れ容器の受け皿容器側の、裏底面斜視図
【符号の説明】１    固形石鹸入れ容器の蓋
２    固形石鹸入れ容器の受け皿容器
３    ギザギザ突起部分
【図１】
0003174427.tif 000003
【図２】
0003174427.tif 000004
(57)【要約】      （修正有）【課題】防滑塗料を塗装することなく防滑効果が得られ、見栄えの良い防滑盆を提供する。【解決手段】食器載置面１上に表裏面に滑止め機能を有する滑止め緩衝マット３を着脱自在に敷設する。食器載置面上に表裏面に滑止め機能を有する滑止め緩衝マットを着脱自在に敷設したので、いかなる素材や形状の盆に対してもその食器載置面の平面形状に対応した滑止め緩衝マットを単に載せるだけで適用可能であり、滑止め緩衝マットを介して食器載置面上に載せた食器類を滑らせることなく、これらを運搬できる【選択図】図１
0003174461.tif 000002
【実用新案登録請求の範囲】
【請求項１】
食器載置面上に表裏面に滑止め機能を有する滑止め緩衝マットを着脱自在に敷設したことを特徴とする防滑盆。
【請求項２】
複数の異色の滑止め緩衝マットを交換可能に食器載置面上に敷設したことを特徴とする請求項１記載の防滑盆。
【考案の詳細な説明】
【技術分野】
【０００１】
本考案は、角盆、丸盆、茶盆、通盆など主に給仕に使用する防滑盆に関する。
【背景技術】
【０００２】
従来、料理や飲み物を運ぶために使用する給仕用の盆では、料理や飲料用の食器の運搬中にこれらが盆上で滑ってひっくり返ったり、ぶっかったり、或いは落としたりして、食器やその内容物を台無しにすることがしばしば見受けられた。
そこで、特許文献１に開示される様に、盆の食器載置面上に防滑塗料を塗装して、食器が滑り難くなるような加工を施していた。
【先行技術文献】
【特許文献】
【０００３】
【特許文献１】特開２００５−３２３８５１号公報
【考案の概要】
【考案が解決しようとする課題】
【０００４】
しかしながら、上記防滑材は長期使用や洗浄により、塗装が剥落して防滑効果が損なわれ、又塗装が剥がれた食器載置面は見苦しく、会席や宴席では使用できないといった課題を有していた。
そこで、本考案では、防滑塗料を塗装することなく防滑効果が得られ、見栄えの良い防滑盆を提供することを目的としている。
【課題を解決するための手段】
【０００５】
上記課題に鑑み、本考案の防滑盆は、食器載置面上に表裏面に滑止め機能を有する滑止め緩衝マットを着脱自在に敷設したことを特徴とする。
又、複数の異色の滑止め緩衝マットを交換可能に食器載置面上に敷設したことを特徴とする。
【考案の効果】
【０００６】
要するに本考案の防滑盆は、食器載置面上に表裏面に滑止め機能を有する滑止め緩衝マットを着脱自在に敷設したので、いかなる素材や形状の盆に対してもその食器載置面の平面形状に対応した滑止め緩衝マットを単に載せるだけで適用可能であり、滑止め緩衝マットを介して食器載置面上に載せた食器類を滑らせることなく、これらを運搬できる。
しかも、滑止め緩衝マットの緩衝機能により食器類と食器載置面は相互に傷付くことがない。
又、滑止め緩衝マットが汚れても、食器載置面上から取り外して洗浄すれば何度でも使用できるし、劣化したり、破損しても、この滑止め緩衝マットを新品に取り替えれば、簡単に見栄えや緩衝及び防滑機能を復帰させることができる。
【０００７】
複数の異色の滑止め緩衝マットを交換可能に食器載置面上に敷設することにより、会席や宴席の雰囲気などに応じて選択された色彩の滑止め緩衝マットを使用することにより、会席者や宴席者に対し配膳時から気配りの行き届いたもてなしを感取させることができる等その実用的効果甚だ大である。
【図面の簡単な説明】
【０００８】
【図１】本考案に係る防滑盆の断面図である。
【考案を実施するための形態】
【０００９】
以下本考案の実施の一形態例を図面に基づいて説明する。
本考案に係る防滑盆は、金属製、木製、又はプラスチック製にして、円形又は方形状で平坦な食器載置面１を設けると共に、該食器載置面１の周囲に低い突壁２を設けている。
【００１０】
そして、食器載置面１上には、滑止め緩衝マット３を着脱自在に敷設している。
滑止め緩衝マット３は、食器載置面１と同一面積の合成ゴム製やポリ塩化ビニル製の薄肉なシートからなり、表裏面に滑止め機能を有すると共に、主に厚み方向に緩衝機能を有している。
【００１１】
又、滑止め緩衝マット３は、色彩の異なるものが複数用意され、これらを交換可能に食器載置面１上に敷設する様に成している。
【００１２】
上記の様に構成された防滑盆にあっては、使用に際し食器載置面１上に滑止め緩衝マット３を介して食器類を載置してこれらを運搬する。
滑止め緩衝マット３上の食器類はその防滑機能により滑り動くことがない。
しかも、滑止め緩衝マット３の緩衝機能により、これが薄くても食器類や食器載置面１が相互に傷付くことがない。
又、滑止め緩衝マット３が汚れたり、劣化したら新品に交換したり、必要に応じて異色の滑止め緩衝マット３を交換して使用する。
【符号の説明】
【００１３】
１  食器載置面
３  滑止め緩衝マット
【図１】
0003174461.tif 000003
(57)【要約】      （修正有）【課題】雑誌、ノート類を斜め状態に角度を変化させて陳列可能とすることによって陳列効率をさほど犠牲にすることなく、背表紙のみならずその他のおもて表紙の一側部をも視認し得るようにし、商品に対する視認性の向上を図り得る雑誌、ノート類の陳列具を提供する。【解決手段】固定基材Ａに対し着脱可能に取設する取設金具１の上部に断面六角形状等の角柱部３を凸設一体化すると共に、仕切体４を一体的に支持固定する保角金具５に角柱部３に対応する角孔を穿設し、当該保角金具５における角孔を取設金具１における角柱部３に適宜に嵌合して、仕切体４を斜め状態に角度変更調整可能に構成した。【選択図】図１
0003174341.tif 000002
【実用新案登録請求の範囲】
【請求項１】
固定基材Ａに対し着脱可能に取設する取設金具１の上部に断面六角形状等の角柱部３を凸設一体化すると共に、仕切体４を一体的に支持固定する保角金具５に前記角柱部３に対応する角孔６を穿設し、当該保角金具５における角孔６を前記取設金具１における角柱部３に適宜に嵌合して、仕切体４を斜め状態に角度変更調整可能に構成したことを特徴とする雑誌、ノート類の陳列具。  
【考案の詳細な説明】
【技術分野】
【０００１】
本考案は、コンビニエンスストー等の店舗において雑誌、ノート類を陳列するに用いる雑誌、ノート類の陳列具に関するものである。
【背景技術】
【０００２】
従来、コンビニエンスストー等の限られた陳列スペースの店舗において、雑誌、ノート類を陳列する場合、所定の陳列場所に所要冊数の雑誌、ノート類を纏めて書棚に収納するが如くに配列するか、或いは、おもて表紙を正面に向けて数冊を重合状態で展示するか、のいずれかの陳列方法によるのが一般である。
【０００３】
然しながら、前者の陳列方法にあっては、正面からは商品の背表紙のみが視認し得るに止まることによる視認性不足から、購買者へのアピール不足を招き易くするおそれがあるという懸念があった。
【０００４】
また、後者の陳列方法にあっては、陳列する所要冊数に比して比較的大きな展示スペースの確保を要することから陳列効率を犠牲にするという懸念があった。
【先行技術文献】
【特許文献】
【０００５】
【特許文献１】特開平０８−０１０１１３
【考案の概要】
【考案が解決しようとする課題】
【０００６】
本考案は、如上の問題点を改善すべく案出したものであって、雑誌、ノート類を斜め状態に角度を変化させて陳列可能とするによって陳列効率をさほど犠牲にすることなく、背表紙のみならずその他のおもて表紙の一側部をも視認し得るようになし、商品に対する視認性の向上を期待し得る雑誌、ノート類の陳列具を提供することを目的とするものである。
【課題を解決するための手段】
【０００７】
本考案の雑誌、ノート類の陳列具は、 固定基材に対し着脱可能に取設する取設金具の上部に断面六角形状等の角柱部を凸設一体化すると共に、仕切体を一体的に支持固定する保角金具に前記角柱部に対応する角孔を穿設し、当該保角金具における角孔を前記取付金具における角柱部に適宜に嵌合して、仕切体を斜め状態に角度変更調整可能に構成したことを最も主要な特徴とするものである。  
【考案の効果】
【０００８】
本考案の雑誌、ノート類の陳列具は、雑誌、ノート類の仕切体を斜め状態に角度変更調節可能とすることによって、雑誌・ノート類を所要の斜め角度をもって多様に陳列できるから、陳列効率をさほど犠牲にすることなく背表紙のみならずその他のおもて表紙の一側部をも視認し得るようになし、商品に対する視認性の向上を図り得る実用的効果を奏するという利点がある。
【図面の簡単な説明】
【０００９】
【図１】図１は、本考案に係る仕切体の側面図である。
【図２】図２は、本考案に係る仕切体を正対位置に設定した状態の平面図である。
【図３】図３は、本考案に係る仕切体を斜め状態に設定した状態の平面図である。
【図４】図４は、本考案に係る取設金具の側面図である。
【図５】図５は、本考案に係る取設金具の背面図である。
【図６】図６は、本考案に係る取設金具を固定基材に取設した状態の背面図である。
【図７】図７は、本考案に係る取設金具の平面図である。
【図８】図８は、本考案に係る保角金具の平面図である。
【考案を実施するための形態】
【００１０】
本考案に係る雑誌、ノート類の陳列具の構成を図示する実施例に基づいて説明すると、図１、図４，図５、及び、図６に示す如く、コンビニエンスストー等の店舗における雑誌、ノート類の陳列場所における背面に水平方向に配備されている固定基材Ａに対し、断面ほぼＣ字状の取設金具１を締付けネジ２をもって着脱可能に締着一体化し得るように設ける。
【００１１】
そして、当該取設金具１の上部には断面六角形状等の角柱部３を溶接等をもって凸設一体化する。
【００１２】
陳列する雑誌、ノート類を所要数で仕切るための仕切体４に断面ほぼＣ字状の保角金具５を溶接等をもって一体的に支持固定する。仕切体４は、本実施例にあっては線状枠材をもって例示したが、板面状であってもよく、その形状を特定するものではない。
【００１３】
図７及び図８に示す如く、該保角金具５には前記取設金具１の角柱部３に対応する角孔６を穿設する。本実施例にあっては、角柱部３は断面六角形状に設定しているが、該角柱部３に嵌合させる保角金具５における角孔６は十二角形状に設定している。これは、
角柱部３とこれに対応する保角金具５における角孔６の両者を共に同じ六角形状とした場合には、両者間における変更可能角度は６０度単位であるのに対して、保角金具５における角孔６を十二角形状とした場合には、両者間における変更可能角度は、３０度単位と調節可能範囲を倍加させ得ることによるものである。
【００１４】
ここにおいて、角柱部３は断面六角形状、角孔６は六角或いは十二角に限定されるものではなく、適宜最適の角数に設定することが可能である。
【００１５】
尚、図中の７は、角柱部３の中心部に設けた螺孔に螺合させ得る押さえネジの頭部であって、角柱部３に嵌合せしめた保角金具５が不用意に角柱部３から離脱しないように保持させる作用を担うものである。
【００１６】
本考案は、上記の如き構成になることから、必要に応じて取設金具１の角柱部３と保角金具５の角孔６との嵌合状態を適宜に組み合わせることができ、これによって、図２、及び、図３に示す如く、仕切体４の角度を適宜に変更、調節することができ、固定基材Ａ上に複数の本考案陳列具を適宜間隔をもって配設することによって、雑誌、ノート類を所要の斜め角度をもって適宜斜め状態に陳列することが可能となり、雑誌、ノート類の陳列の多様化を図り得る実用的効果を奏する。
【符号の説明】
【００１７】
Ａ    固定基材
１    取設金具
２    締付けネジ
３    角柱部
４    仕切体
５    保角金具
６    角孔
７    押さえネジの頭部
【図１】
0003174341.tif 000003
【図２】
0003174341.tif 000004
【図３】
0003174341.tif 000005
【図４】
0003174341.tif 000006
【図５】
0003174341.tif 000007
【図６】
0003174341.tif 000008
【図７】
0003174341.tif 000009
【図８】
0003174341.tif 000010
(57)【要約】      （修正有）【課題】調理状況を見ることができ、熱効率が良い万能調理用オーブン鍋を提供する。【解決手段】耐熱ガラス鍋部分４と、耐熱ガラス蓋部分３とからなり、蓋部分の上部中央から下に向けて熱発生部分２からの熱と風発生部分１からの風が出る。【選択図】図１
0003174399.tif 000002
【実用新案登録請求の範囲】
【請求項１】
本考案は、取り外し可能の固定した（４）耐熱ガラス鍋と（３）耐熱ガラス蓋部分（１）（２）中央にハローゲン等の高熱と風を下向きに向けて（４）（３）耐熱ガラスで囲み密封状態に有り、熱効率が高く（４）耐熱ガラス鍋の中に置いた肉や魚野菜などの調理が早く出来て上からの熱風により余分な油を落とす効果と調理状況が見やすいので焦がすことも無く楽しく便利に調理が出来る。
【考案の詳細な説明】
【技術分野】
【０００１】  本考案は（４）耐熱ガラス鍋の上部（３）耐熱ガラス蓋（１）（２）中央下からの熱風による調理鍋に関するものである。
【背景技術】
【０００２】従来の鍋は下からの熱により調理するもので上からの熱効率でのタイプは無かった。
【考案の開示】
【考案が解決しようとする課題】
【０００３】本考案は、取り外し可能の固定した（４）耐熱ガラス鍋と（３）耐熱ガラス蓋（１）（２）中央にハローゲン等の高熱と風を下向きに向け耐熱ガラスで囲む状態に有り、熱効率が高く（４）耐熱ガラス鍋の中に置いた肉や魚、野菜などの調理が早く出来る、上からの熱風により余分な油を落とす効果と調理状況が見やすいので焦がすことも無く楽しく便利に調理が出来る。
【課題を解決するための手段】
【０００４】使用するときの（４）耐熱ガラス鍋と（３）耐熱ガラス蓋により熱が外に出ない形状と上からの熱風により熱効率が良い構造を特徴とする。
【考案の効果】
【０００５】電子レンジやオーブンや従来の鍋は調理状況が見えにくいのと熱効率が悪い物であったが当商品は調理状況が見やすい耐熱ガラスで密封に近い状態で上からの熱風で鍋の中から熱が逃げないので調理が速く出来て下部に水を置けば蒸し料理も出来る、清潔に食品調理に多目的に使用できる効果が楽しく便利、見た人にも衝撃と興味と驚きを提供する。
【図面の簡単な説明】
【０００６】
【図１】図１は、本考案の（４）耐熱ガラス鍋と（３）耐熱ガラス蓋の正面図である。
【図２】図２は、この実施例  鍋中央に（５）網台を置いての調理状態を表す。
【図３】図３は、下の（６）皿に水を置き蒸料理の状態を表す。
【図４】図４は、（３）耐熱ガラス蓋を開けた状態を表す。
【考案を実施するための最良の形態】
【０００７】耐熱ガラスで作られた（４）鍋と（３）蓋で密封状況の熱効率が高く調理が早く出来る。
【実施例】
【０００８】耐熱ガラスの（４）鍋と（３）蓋で作られ蓋内側上部中央から下に向け熱と風が出る構造になっている。
【産業上の利用可能性】
【０００９】本考案は調理のとき使用する、オーブン鍋として広く適応が可能である。耐熱ガラスの（４）鍋と（３）蓋が透明で調理状況が見えるので焦がす事が無い、（４）鍋と（３）蓋が密封状態なので熱効率が良く調理が早く出来る、上からの熱での調理なので余分な油を下に落とすヘルシー調理が出来、（６）下部皿に水を置けば蒸調理も出来る。
【符号の説明】（１）風発生部分。（２）熱発生部分。（３）耐熱ガラス蓋部分。（４）耐熱ガラス鍋部分。（５）耐熱ガラス内で使用する網台部分。（６）耐熱ガラス内下部に置く食品から出る油の受け皿。（７）時間調整ボタン（８）熱調整ボタン
【図１】
0003174399.tif 000003
【図２】
0003174399.tif 000004
【図３】
0003174399.tif 000005
【図４】
0003174399.tif 000006
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
耐熱ガラス鍋部分（４）と、中央にハロゲンを設け耐熱ガラス蓋部分（３）内側から下に向けて熱発生部分（２）からの熱と風発生部分（１）からの風が出る構造とした耐熱ガラス蓋からなる万能調理用オーブン鍋。
【手続補正２】
【補正対象書類名】明細書
【補正対象項目名】０００８
【補正方法】変更
【補正の内容】
【０００８】耐熱ガラスの耐熱ガラス鍋部分（４）と耐熱ガラス蓋部分（３）で作られ蓋内側上部中央から下に向け熱発生部分（２）からの熱と風発生部分（１）からの風が出る構造になっている。
(57)【要約】      （修正有）【課題】襟を目の下まで，すっぽりと覆うように製作することで、蚊など蒸しの侵入を防ぎ、紫外線も遮ることが出来る作業着を提供する。【解決手段】円筒形の襟の丈は長く取り，目の下まで来るようにする。耳の位置には下がってくるのを防ぐ為に、耳に掛けるためのゴムを付けるかまたは切り込みを入れる。また、襟の後ろ側は後頭部の膨らみの下に沿うように丈を少し短くする。襟をフリーにして下げることでロールネックとして着用しても良い。【選択図】図１
0003174393.tif 000002
【実用新案登録請求の範囲】
【請求項１】
この布帛の作業着の円筒形の襟は丈を目の下まで来るようにする。そして襟が下がってこないように耳の位置に  耳に掛けるためのゴムを付けるか  または  切り込みを入れる。襟の後ろ側は  後頭部の膨らみの下に沿うように丈を少し短くする。
【考案の詳細な説明】
【考案の詳細な発明】
【技術分野】
【０００１】布帛の作業着の製作
【考案が解決しようとする課題】
【０００２】布帛の作業着に目の下まで  すっぽりと覆う円筒形の襟をつける。
この時，襟が下がってこないように工夫する。
【課題を解決する為の手段】
【０００３】上記目的を達成する為に、この襟の耳の位置に耳に掛けるためのゴムを付けるか  または  切り込みを入れる。
【考案を実施するための形態】
【０００４】円筒形の襟の丈は長く取り，目の下まで来るようにする。耳の位置には下がってくるのを防ぐ為に、耳に掛けるためのゴムを付けるか  または切り込みを入れる。また、襟の後ろ側は後頭部の膨らみの下に沿うように丈を少し短くする。
【考案の効果】
【０００５】襟の丈が長く目の下まであり，下がってこない工夫をしたので  野外での活動時などに  蚊などの虫の侵入を防ぎ、帽子との併用で紫外線や埃を防ぐ事もできる。襟をフリーにして下げる場合はロールネックとなり、デザイン性にも優れている。
【図面の簡単な説明】
【図１】  襟の正面図である。
【図２】  襟の側面図である。
【符号の説明】  １  耳の位置
【図１】
0003174393.tif 000003
【図２】
0003174393.tif 000004
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
布帛の作業着の円筒形の襟について、
（１）丈を目の下まで来るようにする。
（２）襟が下がってこないように、耳の位置に耳に掛けるためのゴムを付けるか、または  切り込みを入れる。
（３）襟の後ろ側は、後頭部の膨らみの下に沿うように、丈を少し短くする。
以上の構成からなることを特徴とする襟をつけた布帛の作業着。